(57)【要約】【課題】ネットオークションにおいて、落札商品の配送などの各種付帯費用を間違いなくオークション参加者に提示する。【解決手段】オークションサイトを管理するオークションシステムに連携するコンピュータが、オークション案件と出品者と落札者を特定するための情報を取得するステップと、オークションの出品情報を管理するデータベースからオークション出品物の配送情報を取得するステップと、会員の個人情報を管理するデータベースから出品者と落札者の居所を取得して出品物の発送地と受取地とを特定するステップと、配送対象物の配送料金体系を管理する送料データベースにアクセスし送料を取得するステップと、オークション案件の特定情報と送料とをオークションシステムに通知するステップとを実行するネットオークションにおける付帯費用管理方法としている。【選択図】      図３
2004362063.tif 000002
【特許請求の範囲】
【請求項１】
インターネット上で会員制のオークションサイトを管理するオークションシステムに連携するコンピュータが、
落札されたオークション案件と出品者と落札者とをそれぞれ特定するための情報を取得するオークション情報取得ステップと、
オークションにおける出品に係わる情報を管理するデータベースに前記取得したオークション案件の特定情報を照会し、出品物の梱包サイズまたは重量を少なくとも含んだ配送情報を取得する配送情報取得ステップと、
オークション参加者についての個人情報を管理するデータベースに前記取得した出品者および落札者の特定情報を照会して当該出品者と落札者のそれぞれの居所を取得するとともに、当該居所に基づいて出品物の発送地と受取地とを特定する配送区間取得ステップと、
配送対象物の配送料金体系に係わる情報を蓄積・管理する送料データベースに前記配送情報と前記発送地と前記受取地とを照会して送料を取得する送料取得ステップと、
前記取得したオークション案件の特定情報と前記取得した送料とをオークションシステムに通知する送料通知ステップと、
を実行することを特徴とするネットオークションにおける付帯費用管理方法
【請求項２】
請求項１において、前記送料データベースは複数の配送業者についての配送料金体系に係わる情報を蓄積・管理しており、前記配送情報取得ステップでは配送業者の指定情報を取得し、前記送料取得ステップでは、当該取得した配送業者の指定情報に基づいて該当する送料を取得することを特徴とするネットオークションにおける付帯費用管理方法。
【請求項３】
請求項２において、前記配送情報取得ステップでは複数の配送業者の指定情報を取得し、前記送料取得ステップでは当該取得した配送業者の指定情報に基づいて該当の配送業者の配送料金体系を参照し、最も安い送料とそれに該当する配送業者とを取得し、前記送料通知ステップでは当該送料と配送業者とをオークションシステムに通知することを特徴とするネットオークションにおける付帯費用管理方法。
【請求項４】
請求項１〜３のいずれかにおいて、配送情報取得ステップでは、送料の支払者を指定する情報を取得するとともに、前記送料通知ステップでは、送料の支払者の指定情報をオークションシステムに通知することを特徴とするネットオークションにおける付帯費用管理方法。
【請求項５】
請求項１〜４のいずれかにおいて、オークションにおける出品に係わる情報を管理するデータベースに前記取得したオークション案件の特定情報を照会し、出品者が課税対象業者であるか否かの情報と当該案件の落札額とを取得するステップと、出品者が課税対象業者であるならば、取得した落札額に所定の割合の税金を計算してその額をオークションシステムに通知するステップとを含むことを特徴とするネットオークションにおける付帯費用管理方法。
【請求項６】
請求項１〜４のいずれかにおいて、オークションにおける出品に係わる情報を管理するデータベースに前記取得したオークション案件の特定情報を照会し、当該案件の落札額と出品物の内容に関する情報とを取得する出品情報取得ステップと、取得した落札額と出品物の内容情報とに基づいて所定のオークションシステム利用料を算出してその額をオークションシステムに通知する利用料通知ステップとを含むことを特徴とするネットオークションにおける付帯費用管理方法。
【請求項７】
請求項６において、前記出品情報取得ステップでは、オークションシステム利用料の負担者を指定する情報を取得し、前記利用料通知ステップでは当該負担者の指定情報をオークションシステムに通知することを特徴とする付帯費用管理方法。
【請求項８】
コンピュータシステムにより構成されて、請求項１〜７のいずれかに記載の付帯費用管理方法を実施することを特徴とするオークションシステムと連携する付帯費用管理システム。
【請求項９】
コンピュータにインストールされて実行されることで、当該コンピュータを請求項８に記載の付帯費用管理システムとして機能させることを特徴とするコンピュータプログラム。
【請求項１０】
請求項９に記載のコンピュータプログラムを記録したコンピュータ読取可能なプログラム格納媒体。
【発明の詳細な説明】
【０００１】
【発明の属する技術分野】
この発明は、ネットオークションを開催するオークションシステムと連携するコンピュータにより、出品者が落札された商品を落札者に送付する際の送料など、落札額相当の代金以外に要する各種付帯費用を管理する方法に関する。
【０００２】
【従来の技術】
インターネット上には、Ｗｅｂページを媒介として、オークションに係わる出品や入札の手続きを行えるネットオークションと呼ばれるサービスを開催しているＷｅｂサイト（以下、オークションサイト）がある（例えば、非特許文献１参照）。オークションサイトは、ＷＷＷサーバーを主体として、これと連携するコンピュータやデータベースを含むコンピュータシステム（以下、オークションシステム）により開催される。このシステムは、オークション参加者のコンピュータ（利用者コンピュータ）とＷｅｂページを介してオークションにおける出品や入札を受け付ける。また、オークション参加者に関する個人情報の管理を行い、落札したオークション案件が発生すればその事実を取引当事者となる出品者と落札者へ通知し、その後の当事者間での落札代金授受が円滑に行えるように仲介する。
【０００３】
普通、オークションシステムは、落札したオークション案件が発生すると、出品者へ落札者の電子メールアドレスを通知し、出品者は落札者へ送料を含めた落札に係わる支払い総額と、その代金の支払い方法などを電子メールにより通知する。出品者と落札者はその後、電子メール等による連絡を通じて最終的に確認が取れたならば、落札者は指定の支払い方法で指定の金額を出品者に支払う。出品者は支払いが完了したことを確認すると、商品を配送業者を通じて落札者に送付する。あるいは、落札者が商品到着後に落札代金を出品者に支払う。
【０００４】
【非特許文献１】
ヤフー株式会社、”Ｙａｈｏｏ！オークション  ヘルプ  用語集”、［ｏｎｌｉｎｅ］、［平成１５年５月２７日検索］、インターネット＜ＵＲＬ：ｈｔｔｐ：／／ｈｅｌｐ．ｙａｈｏｏ．ｃｏ．ｊｐ／ｈｅｌｐ／ｊｐ／ａｕｃｔ／ａｇｌｏｓ／ｉｎｄｅｘ．ｈｔｍｌ＞
【０００５】
【発明が解決しようとする課題】
オークションに出品された商品には、落札額相当の代金の他に、出品者から落札者へ宅配業者などを通じて送付する際の送料など、様々な付帯費用が生じる。しかもその付帯費用はオークション案件ごとに一律ではない。送料を例に挙げれば、オークション案件ごとに商品のサイズや重量、発送地や受取地など、配送に係わる各種条件が異なり送料が異なる。もちろん、利用する配送業者によっても送料は異なる。送料を落札者が支払う場合には、落札後の当事者間のやりとりにおいて、これら配送に係わる条件に基づいて送料を別途計算し、落札額にこの送料を加えた額を落札者に請求することになる。送料に関する連絡を別途するのであれば、その連絡過程で誤認識が生じる可能性がある。例えば、送料の負担者がどちらかであるのかを出品者が事前に明示しなかった場合、あるいは落札者が負担者がどちらであるのかを事前に確認しておかなかった場合、落札者が送料を支払うのであれば、落札者が出品者に支払う総額が落札額と異なることになり、トラブルが生じる可能性がある。
【０００６】
もちろん、当事者にとっては連絡回数が増えること自体面倒で時間が掛かる。送料の計算過程で間違いが生じる可能性もある。送料に限らず、オークションシステムの利用料や、出品者が課税対象業者であれば消費税などが別途付帯費用として必要となり、誤認識や計算間違いの可能性が大きくなる。
【０００７】
【課題を解決するための手段】
上記課題に鑑み本発明が創作された。そしてその目的は、ネットオークションにおいて、落札商品の配送など、落札されたオークション案件に係わる各種付帯費用についての事後の当事者間の面倒な連絡や料金計算を無くし、付帯費用を間違いなくオークション参加者に提示できる付帯費用管理方法を提供することにある。
【０００８】
上記目的を達成するための本発明は、インターネット上で会員制のオークションサイトを管理するオークションシステムに連携するコンピュータが、落札されたオークション案件と出品者と落札者とをそれぞれ特定するための情報を取得するオークション情報取得ステップと、オークションにおける出品に係わる情報を管理するデータベースに前記取得したオークション案件の特定情報を照会し、出品物の梱包サイズまたは重量を少なくとも含んだ配送情報を取得する配送情報取得ステップと、オークション参加者についての個人情報を管理するデータベースに前記取得した出品者および落札者の特定情報を照会して当該出品者と落札者のそれぞれの居所を取得するとともに、当該居所に基づいて出品物の発送地と受取地とを特定する配送区間取得ステップと、配送対象物の配送料金体系に係わる情報を蓄積・管理する送料データベースに前記配送情報と前記発送地と前記受取地とを照会して送料を取得する送料取得ステップと、前記取得したオークション案件の特定情報と前記取得した送料とをオークションシステムに通知する送料通知ステップとを実行するネットオークションにおける付帯費用管理方法としている。
【０００９】
また、前記送料データベースは複数の配送業者についての配送料金体系に係わる情報を蓄積・管理しており、前記配送情報取得ステップでは配送業者の指定情報を取得し、前記送料取得ステップでは、当該取得した配送業者の指定情報に基づいて該当の送料を取得するネットオークションにおける付帯費用管理方法としてもよい。
【００１０】
この複数の配送業者の料金体系に対応した付帯費用管理方法では、前記配送情報取得ステップでは複数の配送業者の指定情報を取得し、前記送料取得ステップでは当該取得した配送業者の指定情報に基づいて該当の配送業者の配送料金体系を参照し、最も安い送料とそれに該当する配送業者とを取得し、前記送料通知ステップでは当該送料と配送業者とをオークションシステムに通知してもよい。
【００１１】
前記商品情報には送料の支払者を指定する情報が含まれていてもよい。それによって、配送情報取得ステップでは、送料の支払者を指定する情報を取得し、前記送料通知ステップでは、送料の支払者の指定情報をオークションシステムに通知するネットオークションにおける付帯費用管理方法とすることができる。
【００１２】
送料に加えネットオークションにおける他の付帯費用として、落札額に応じた消費税を管理することもでき、そのための付帯費用管理方法は、オークションにおける出品に係わる情報を管理するデータベースに前記取得したオークション案件の特定情報を照会し、出品者が課税対象業者であるか否かの情報と当該案件の落札額とを取得するステップと、出品者が課税対象業者であるならば、取得した落札額に所定の割合の税金を計算してその額をオークションシステムに通知するステップとを含んでいる。
【００１３】
オークション開催業者が、落札したオークション案件について、オークションシステムの利用料を落札案件の当事者から徴収する場合もあり、この場合に対応して、オークションにおける出品に係わる出品情報を管理するデータベースに前記取得したオークション案件の特定情報を照会し、当該案件の落札額と出品物の内容に関する情報とを取得する出品情報取得ステップと、取得した落札額と出品物の内容情報とに基づいて所定のオークションシステム利用料を算出してその額をオークションシステムに通知する利用料通知ステップとを含むネットオークションにおける付帯費用管理方法とすることもできる。
【００１４】
また、システム利用料に対応した付帯費用管理方法において、前記出品情報取得ステップでは、オークションシステム利用料の負担者を指定する情報を取得し、前記利用料通知ステップでは当該負担者の指定情報をオークションシステムに通知することとしてもよい。
【００１５】
なお本発明は、コンピュータシステムにより構成されて、上記いずれかの付帯費用管理方法を実施するオークションシステムと連携する付帯費用管理システムにも及んでいる。また、コンピュータにインストールされて実行されることで、当該コンピュータを前記付帯費用管理システムとして機能させるコンピュータプログラムや前記コンピュータプログラムを記録したコンピュータ読取可能なプログラム格納媒体も本発明の範囲としている。
【００１６】
【発明の実施の形態】
＝＝＝ネットワーク構成＝＝＝
図１は本発明の付帯費用管理方法が適用されるネットワークの概略構成図を示している。インターネット５０上にはオークション参加者が使用する利用者コンピュータ５１とネットオークションを開催するオークションシステム１０が接続されている。オークションシステム１０は、オークション開催者が管理運営するイントラネット１１上に構築されており、このイントラネットには、オークションシステム１０と連携するコンピュータとして付帯費用管理システム１と決済システム２０が接続されている。
【００１７】
オークションシステム１０は、オークションサイトを公開するためのＷＷＷサーバー１２、オークション参加資格を持つ多数の会員についての個人情報を管理するための各種情報を蓄積管理する個人情報データベース１３、オークションサイトによって開催される全オークションについての各種情報を蓄積管理するオークションデータベース１５、会員に対する各種通知を電子メールによって送信するためのメールサーバー１４などを含んで構成されている。オークション参加者は、ブラウザや電子メール送受信ソフトウエアを実装する利用者コンピュータ２１によってインターネット２０を介してオークションサイトにアクセスする。オークションサイトでは、ＷＷＷサーバー１２が提供している各種Ｗｅｂページを通じて、出品手続きの案内や、出品者と入札者との取引の仲介などをしながらオークションを開催する。そして、あるオークションが落札されたならば、落札された旨や落札内容を電子メールやＷｅｂページなどを通じて出品者の利用者コンピュータ（出品者コンピュータ）５１ｂや落札者の利用者コンピュータ（落札者コンピュータ）５１ａに適宜な方法で提示する。
【００１８】
付帯費用管理システム１は、本発明の方法に基づいて、オークションシステム１０に付帯する各種データベース（１３，１５）にアクセスしたりオークションシステム１０から各種通知を受け取ったりして、落札されたオークション案件に係わる付帯費用を計算してその費用をオークションシステム１０に通知する。本実施例では、商品を出品者が落札者へ送付する際の送料をその商品の荷姿（梱包サイズ、重量）や配送経路などに応じて自動計算し、その計算結果をオークションシステム１０に通知することとしている。オークションシステム１０は通知された計算結果に基づいて落札商品の送料に関する情報をオークション取引の当時者に適宜な方法で通知する。それによって、出品者と落札者の落札後の煩雑なやりとりや配送に係わるトラブルを解消することができる。なお、この付帯費用管理システム１は、オークションシステム１０を構成するコンピュータにインストールされたソフトウエアであってもよい。
【００１９】
決済システム２０は、オークション参加者からオークションの開催に係わる各種手数料を口座引き落としにより徴収したり、落札されたオークション案件の落札者と出品者間の決済を仲介する決済サービスを提供したりする。決済サービスは、出品者と落札者との間の落札代金の授受において、決済システム２０を管理運営する決済仲介業者が落札者に代わって落札代金を出品者に立て替え払いをするとともに、クレジットカード会社によって落札者の口座からクレジットカード決済によってその落札代金が後日引き落とされると、その代金を決済仲介業者の口座に振り込ませるという流れに従って提供される。したがって、落札者は落札代金をクレジットカード決済により支払うことができ、出品者は落札後短期間の内に落札代金が自分の受取口座に振り込まれる、という利点がある。もちろんオークションに係わる決済にこの決済システム２０を利用しなくてもよい、落札したオークション案件の当事者が他の決済方法（銀行振り込みなど）を適宜に選択することができる。
【００２０】
決済システム２０は、例えばＯＢＮ（Ｏｐｅｎ  Ｂｕｓｉｎｅｓｓ  Ｎｅｔｗｏｒｋ）４０などの通信回線を介してクレジットカード会社のオンライン与信照会システムに接続し、落札者が所有するクレジットカードやそのカードによる決済についての与信照会を行う機能を備えている。そして、オークションシステム１０によってあるオークションの出品商品が落札されたならば、落札者がその落札代金を出品者に支払う手続きに介在して個人間でのオークション取引であっても落札者のクレジットカードを利用して決済できる仕組みを提供している。なおここに示した例では、決済仲介業者は複数のクレジットカード会社と個別に契約せず、複数のクレジットカード会社と個別に契約している窓口機関のオンライン与信照会システム（以下、照会窓口システム）４１に一括して各クレジットカード会社への与信照会を依頼している。
【００２１】
また決済システム１は、決済サービスにより落札代金を出品者の口座へ立て替え払いして振り込むために、落札されたオークション案件の出品者についての口座情報（口座番号、名義、種別など）を管理する受取情報データベースと、決済サービスによる決済の内容を管理する決済情報データベースとを備えている。そして、ＩＳＤＮ３０などの通信回線を介して金融機関の電子銀行業務（Ｅｌｅｃｔｒｏｎｉｃ  ｂａｎｋｉｎｇ：以下、ＥＢ）システム３１に接続してデータ通信を行い、口座振替などの処理を金融機関のホストコンピュータに対して指示する。なおＥＢシステム３１は、周知の通り、金融機関のホストコンピュータと企業などの顧客側の経理業務用コンピュータとを通信回線によって接続し、双方のコンピュータが所定の手順（例えば、全銀協ＴＣＰ／ＩＰ手順）に従って通信しながら口座振替など金融機関が顧客に対して提供している各種銀行業務に係わるサービスをオンラインで行う。
【００２２】
＝＝＝データベース＝＝＝
＜個人情報データベース＞
本実施例では、出品や入札などオークションに実際に参加したい利用者は、会員として固有の会員ＩＤと、このオークションシステム１０にログインするためのパスワードと、会員本人を特定できる情報とを個人情報データベース１３に登録することとしている。そしてオークションシステム１０は、オークション取引に際して会員ＩＤを名乗ってアクセスしてきた参加者の本人確認を適時に行っている。またオークション開催者は、この本人確認の手続きに対する手数料（本人確認費）や、実際にオークション取引が成立したときにその取引額に応じた手数料（システム利用料）を会員から徴収することとしている。そのため、これら手数料の徴収に係わる各種情報も個人情報データベース１３に登録することとしている。本実施例では、本人確認費やシステム利用料を引き落とす口座についての情報（口座番号、名義、口座種別など）が登録されている。もちろん、決済サービスよる落札代金の決済に利用するクレジットカードをこれらの手数料の支払に利用することもでき、クレジットカード決済を希望する会員については、その決済に必要なクレジットカード番号、有効期限などのカード決済情報が登録されているものとする。
【００２３】
＜オークションデータベース＞
オークションシステム１０は、自身が開催している全オークション案件をオークションＩＤによって識別し、各オークションについての開催経過や出品・入札・落札・決済に関する情報などをオークションデータベース１５に蓄積管理している。そして、出品者の会員ＩＤや出品商品、入札者の会員ＩＤや入札額などを対応付けさせながらオークションデータベース１５を随時更新している。
【００２４】
＜送料データベース＞
付帯費用管理システムに付帯する送料データベース２は、複数の配送業者についての配送料金体系を蓄積・管理している。すなわち、配送対象となる荷物のサイズや重量、配送区間（発送地域と受取地域）に従った送料を配送業者ごとに記述したテーブルを管理している。図２にある配送業者についての配送料金テーブルの概略を示した。
【００２５】
＝＝＝出品情報＝＝＝
オークションシステム１０は、出品希望の会員の利用者コンピュータ（出品者コンピュータ）５１ｂとＷｅｂページを介したやりとりを通じ、オークションを出品する際に必要な各種情報（出品情報）を受け取ってその情報をオークションデータベース１５に登録する。本実施例では、出品者がオークションに商品を出品する際、商品自体の情報（カテゴリ、商品の説明、商品の画像データなど）やオークションの開催に関する情報（最低落札価格、開催期間など）に加え、商品の送付に係わる情報（商品配送情報）を出品情報として登録することとしている。なお商品配送情報として、送料の支払者を指定するための情報、商品配送時の梱包サイズや重量に関する情報、宅配業者の指定情報などを登録することとしている。商品が生鮮食料品などの場合もあり、送付に係わる条件（冷凍車や冷蔵車による配送指定）なども登録できるようにしてもよい。
【００２６】
＝＝＝付帯費用管理処理＝＝＝
図３に付帯費用管理システム１における付帯費用管理方法に係わる処理の流れ図を示した。付帯費用管理システム１は、オークションシステム１０より落札したオークション案件のオークションＩＤを受け取ると、このＩＤに基づいてオークションデータベース１５を検索し、出品情報を取得する（ｓ１，ｓ２）。そして、オークションＩＤに基づいてオークション取引の当事者となる出品者と落札者の会員ＩＤを取得し、これらの会員ＩＤを個人情報データベースに照会し、出品者と落札者の住所を取得する（ｓ３，ｓ４）。そして、双方の住所の都道府県名から出品者の地域（発送地域）と落札者の地域（受取地域）とを特定する（ｓ５）。
【００２７】
つぎに、出品情報中の商品配送情報に記載されている配送業者の指定情報と、商品の梱包サイズまたは重量と、先に特定した発送地域と受取地域とを送料データベース２に照会し送料を特定する（ｓ６）。すなわち、指定の配送業者に関する配送料金テーブルを参照し、商品の梱包サイズまたは重量、および発送地域と受取地域に基づいて該当の送料を取得する。そして、取得した送料を該当のオークションＩＤとともにオークションシステム１０へ通知する（ｓ７）。
【００２８】
オークションシステム１０は、付帯費用管理システム１からオークションＩＤとともに送料が通知されてくると、出品者用と落札者用に、該当のオークションについての落札内容と送料とを記載したＷｅｂページをそれぞれ作成する。このＷｅｂページの作成処理に関連して付帯費用管理システム１が送料の支払者指定情報を取得し、計算した送料とともにその指定情報をオークションシステム１０に通知してもよい。それによってオークションシステム１０は、落札者が支払者に指定されていれば、落札者用のＷｅｂページに落札内容とともに送料を記載し、落札額相当の代金以外に送料が必要なことを確実に落札者に認識させることができる。図４に落札者用に作成したＷｅｂページの概略を示した。この例では、送料の支払者として落札者が指定されていた場合を示した。なお、送料を出品者が支払うのであれば、落札者用のＷｅｂページには送料を記載せず、支払者用のＷｅｂページに送料を記載する。もちろん、出品者用のＷｅｂページには必ずしも送料を記載する必要はない。
【００２９】
送料の支払者を指定する情報はなくてもよい。付帯費用管理システム１が送料を計算してそれをオークションシステム１０に通知するだけでよい。オークションシステム１０が通知された送料を出品者と落札者の双方に提示すれば、オークション取引の当事者が送料の計算を間違えるというトラブルをなくすことができる。
【００３０】
オークションシステム１０は、前記Ｗｅｂページの作成処理に並行して、オークションが落札された旨と、それぞれのＷｅｂページへのＵＲＬとを記載した電子メール（落札通知）を落札者と出品者の双方に通知する。すなわち、落札通知を受け取った落札者コンピュータ５１ａや出品者コンピュータ５１ｂのブラウザにて、この通知に記載されているＵＲＬを指定してオークションサイトにアクセスすると、落札内容が記載されたＷｅｂページが落札者コンピュータ５１ａおよび出品者コンピュータ５１ｂに送達される。落札者や出品者は、このＷｅｂページを閲覧して落札内容や送料などを確認する。
【００３１】
さらにオークションシステム１０は、決済システム２０に落札したオークション案件についての決済を依頼する。すなわち、オークションＩＤ、出品者ＩＤ、落札者ＩＤ、および落札者の支払総額を決済システム２０に通知する。落札者が送料を支払うのであれば、総支払額の内訳（落札額と送料）を通知してもよい。決済システム２０は、個人情報データベースに出品者ＩＤと落札者ＩＤを照会して出品者と落札者の口座情報やカード決済情報などを取得し、総支払額相当の代金を落札者の口座から出品者の口座へ振り替えたり、決済サービスによって出品者の口座へ立て替えて振り込んだりするための処理を実行する。もちろん、決済システム２０を利用しなくても、落札内容をＷｅｂページ上で確認した後、出品者が落札者に対し電子メールなどを通じて支払総額分の代金を指定の口座へ振り込むように依頼するなど、適宜に事後の処理へ移行すればよい。落札後の当事者間のやりとりに際しても、送料がすでに計算されているので必要最低限の連絡だけでよい。
【００３２】
＝＝＝配送業者の指定について＝＝＝
出品者が複数の配送業者を指定できるようにしておき、付帯費用管理システム１は、指定された配送業者のうち、最も送料が安い業者とその送料をオークションシステム１０に通知するようにし、オークションシステム１０はその業者と送料をオークション取引の当事者にＷｅｂページなどを通じて提示するようにしてもよい。
【００３３】
＝＝＝付帯費用について＝＝＝
オークションに係わる付帯費用は送料だけとは限らない。出品者が販売店など課税対象業者である場合、落札額は売り上げに相当し、この落札額に対して消費税が掛かる。この消費税を落札者が負担するのであればこの消費税も付帯費用となる。そこで会員情報として、課税対象業者であるか否かを示す情報を個人情報データベース１３に登録しておき、商品情報として消費税の負担を出品者あるいは落札者のいずれかが負担するのかを指定した情報を出品時にオークションデータベース１５に登録する。そして、付帯費用管理システム１が落札されたオークション案件について、出品者が課税対象業者であるか否かを示す情報と消費税負担者の指定情報と落札額とを取得する。出品者が課税対象業者で消費税を落札者が負担するように指定されている場合には、取得した落札額に所定割合の消費税を付加し、その額をオークションシステム１０に通知する。オークションシステムは送料と同様に、オークション取引の当事者に消費税も通知すればよい。決済システムに対しては、消費税を含めた額を出品者の口座へ振り込めばよい。
【００３４】
システム利用料についても出品者が負担するとは限らない。消費税の場合と同様にして、システム利用料の負担者を指定する情報を出品情報として登録できるようにしておけば、その利用料を落札者が負担する場合、システム利用料もオークション取引の当事者に通知することができる。なおシステム利用料は、落札額に加え、落札された商品のカテゴリに応じて料率が異なる場合もある。あるいはカテゴリによっては落札額によらず一律の手数料を徴収する場合もある。そこで、この手数料の料金体系をデータベース化しておき、付帯費用管理システム１は、オークションデータベース１５にアクセスして落札されたオークション案件についての落札額と落札商品のカテゴリとを取得する。そして、この取得情報とシステム利用料の料金体系とに基づいてシステム利用料を計算し、その利用料をオークションシステム１０に通知すればよい。
【００３５】
オークションシステム１０は、決済システム２０に対し、オークションＩＤや当事者の会員ＩＤに加え、落札額とシステム利用料とその支払者の指定情報とを通知する。なお支払者の指定情報は、事前に付帯費用管理システム１がオークションデータベース１５から取得しておき、計算したシステム利用料とともにその指定情報をオークションシステム１０に通知すればよい。
【００３６】
そして、決済システム２０は、システム利用料を落札者が支払うのであれば、落札者の口座から落札代金（落札額に必要に応じて送料や消費税を含めた金額）にシステム利用料を加算した額を引き落とし、出品者へは落札代金を支払うようにする。システム利用料についてはオークション業者の指定口座へ振り込む。出品者がシステム利用料を支払うのであれば、落札代金を落札者の口座から引き落とし、その落札代金からシステム利用料を差し引いた額を出品者の口座へ振り込むようにすればよい。
【００３７】
【発明の効果】
本発明のネットオークションにおける付帯費用管理方法によれば、送料などオークションにおける落札額相当の代金以外に要する各種付帯費用を自動計算し、その計算結果をオークションが落札した時点で出品者や落札者に提示することができる。そのため、落札後にオークション取引の当事者同士が送料などの各種付帯費用について連絡しあう必要がない。したがって、付帯費用に関する誤認識（例えば、付帯費用の負担者をどちらにするかなど）や付帯費用の計算間違いなどに基づく当事者間のトラブルを回避することができる。また落札後の連絡に要する手間や時間を必要最小限にとどめ、落札から代金の支払いや商品の到着までの時間を短縮することができる。
【図面の簡単な説明】
【図１】本発明の実施例における付帯費用管理方法が適用されるネットワークシステムの概略図である。
【図２】上記ネットワークシステムを構成する付帯費用管理システムに付帯する送料データベースに管理されているある配送業者に関する料金体系の概略図である。
【図３】上記付帯費用管理システムにおける付帯費用管理処理の流れ図を示した。
【図４】上記ネットワークシステムを構成するオークションシステムが作成する落札したオークションの内容と送料とを記載したＷｅｂページの概略図である。
【符号の説明】
１  付帯費用管理システム
２  送料データベース
１０  オークションシステム
１３  個人情報データベース
１５  オークションデータベース
２０  決済システム
５１ａ  落札者コンピュータ
５１ｂ  出品者コンピュータ
【図１】
2004362063.tif 000003
【図２】
2004362063.tif 000004
【図３】
2004362063.tif 000005
【図４】
2004362063.tif 000006